(57)【要約】      （修正有）【課題】複数の外装板を組み合わせて形成される箱状の外装ケースにおいて、外装板を固定する取付片の角部で打痕が発生しないようにする。【解決手段】この外装ケース1は、複数の外装板２２〜26を組み合わせて形成され且つ互いに隣接する少なくとも１対の外装板24，25同士を取付片31を介して固定してなる箱状の外装ケース1であり、取付片31を介して固定される一方の外装板24の端部寄り部分は平坦に形成され、且つ他方の外装板25の端部寄り部分は一方の外装板24の端部側へ折り曲げられており、取付片31は、一方の外装板24に固定される第１固定部32と、他方の外装板25に固定される第２固定部33と、第２固定部の第１固定部側端部に形成された第１折曲部とを備え、取付片31に第１折曲部の両端部を切欠いた切欠き部40が形成されている。【選択図】図２
2015059682.tif 000002
【特許請求の範囲】
【請求項１】
複数の外装板を組み合わせて形成された箱状の外装ケースであって、互いに隣接する少なくとも１対の外装板同士を取付片を介して固定してなる外装ケースにおいて、
前記取付片は、一方の外装板に固定される第１固定部と、他方の外装板に固定される第２固定部と、第２固定部の第１固定部側端部に形成された折曲部とを備え、
前記取付片に前記折曲部の両端部を切欠いた切欠き部が形成されていることを特徴とする外装ケース。
【発明の詳細な説明】
【技術分野】
【０００１】
本発明は、複数の外装板を組み合わせて形成された箱状の外装ケースに関する。
【背景技術】
【０００２】
貯湯給湯装置、燃料電池発電装置、ヒートポンプ式熱源機又はその他の種々の機器や装置類は、通常金属製薄板からなる複数の外装板を組み合わせて形成された箱状の外装ケースに収納されている。例えば、特許文献１に記載の貯湯式給湯装置においては、貯湯タンクの外周を保温材で覆い、保温材の外面側を外装ケースで覆っている。
【０００３】
この貯湯式給湯装置では、保温材と外装ケースの間に隙間があると、運搬中に外装ケースが振動してガタツキが起こり、外装ケース内に装備した各部品の緩みに発展するという課題に鑑み、前記保温材の外径寸法を外装ケースの外径寸法よりも大きくし、組み立て後の状態において外装ケースの上面および側周面が外側に膨らんだ形状にしている。
【０００４】
前記外装ケースの縦稜線部や横稜線部に支柱や桟部材が配置されている場合は、外装板の端部が対応する支柱や桟部材にビス等で固定される。しかし、外装ケースの稜線部に支柱や桟部材を配置しない場合もある。そのような稜線部においては、隣接する外装板同士が１又は複数の取付片を介して固定する固定構造を採用することが多い。
【０００５】
例えば、図７に例示するように、外装ケース１００の縦稜線部１００ａにおいて、互いに隣接する外装板１０１，１０２は縦稜線部１００ａの内側に配置した取付片１０３を介してビスにて固定される。取付片１０３は、外装板１０１に固定される第１固定部１０４と、外装板１０２に固定される第２固定部１０５と、第１固定部１０４の端部の第１折曲部１０６と、第２固定部１０５の端部の第２折曲部１０７と、複数のビス穴１０８などを備えている。なお、複数のビス穴１０８に螺合するビスは図示省略している。
【先行技術文献】
【特許文献】
【０００６】
【特許文献１】特開２００６−６４３３９号公報
【発明の概要】
【発明が解決しようとする課題】
【０００７】
外装ケース１００に機器を収納した状態で、貨物自動車により搬送する際に、外装ケース１００の外装板１０１，１０２が振動すると、取付片１０３の第１折曲部１０６の上下両端の角部１０６ａにより外装板１０１に外面側へ凸の打痕が発生したり、取付片１０３の第２折曲部１０７の上下両端の角部１０７ａにより外装板１０２に外面側へ凸の打痕が発生したりする場合がある。このような打痕が発生すると、外装ケース１００の外観が悪化して商品性が低下し、打痕の個所の塗膜が剥がれて腐蝕しやすくなる。
【０００８】
本発明の目的は、取付片の折曲部の両端による打痕が発生しないようにした外装ケースを提供することである。
【課題を解決するための手段】
【０００９】
請求項１の外装ケースは、複数の外装板を組み合わせて形成された箱状の外装ケースであって、互いに隣接する少なくとも１対の外装板同士を取付片を介して固定してなる外装ケースにおいて、前記取付片は、一方の外装板に固定される第１固定部と、他方の外装板に固定される第２固定部と、第２固定部の第１固定部側端部に形成された折曲部とを備え、前記取付片に前記折曲部の両端部を切欠いた切欠き部が形成されたことを特徴としている。
【発明の効果】
【００１０】
請求項１の外装ケースは、複数の外装板を組み合わせて形成された箱状の外装ケースであり、互いに隣接する少なくとも１対の外装板同士が取付片を介して固定される。
【００１１】
前記取付片は、一方の外装板に固定される第１固定部と、他方の外装板に固定される第２固定部と、第２固定部の第１固定部側端部に形成された折曲部とを備え、この取付片に前記折曲部の両端部を切欠いた切欠き部が形成され、折曲部の両端部の尖った角部が除去されているため、搬送中に他方の外装板が振動しても、取付片の折曲部の両端部の角部による打痕が発生することがないから、外装ケースの損傷を確実に防止して外観の悪化、つまり商品性の低下を確実に防止することができる。
しかも、前記折曲部の両端部を切欠いた切欠き部を設けるという簡単な構成で実現できるため、簡単且つ安価に実施可能である。
【図面の簡単な説明】
【００１２】
【図１】本発明の実施例に係る貯湯給湯装置の外装ケースの斜視図である。
【図２】前面側外装板を取り外した状態の外装ケースの斜視図である。
【図３】図２のIII −III 線断面図である。
【図４】取付片の斜視図である。
【図５】変更例に係る取付片の斜視図である。
【図６】別の変更例に係る取付片の斜視図である。
【図７】従来技術に係る外装ケースの要部の斜視図である。
【発明を実施するための形態】
【００１３】
次に、本発明を実施するための形態について、実施例に基づいて説明する。
【実施例１】
【００１４】
以下、本発明を貯湯給湯装置の外装ケースに適用した場合の例について、図１〜図４に基づいて説明する。図１、図２に示すように、貯湯給湯装置の外装ケース１は、金属製薄板からなる複数の外装板２１〜２６を組み合わせて形成された箱状の外装ケースである。以下、説明の都合上、図１に示す前後左右を前後左右として説明する。
【００１５】
外装ケース１は、左右幅が大きく、前後幅が小さな直方体状のものである。図２に示すように、外装ケース１の内部の左半部には、補助熱源機収容部２と、ポンプやバルブ類や熱交換器や膨張タンクや制御ユニットが収納される機器収納部３が設けられ、機器収納部３の下側には、外部配管に接続される配管類が収納される配管収納部４が設けられている。外装ケース１の内部の右半部には貯湯タンクを収納するタンク収納部５が設けられる。
【００１６】
外装ケース１は、支柱や板材等からなるフレーム構造１０と、このフレーム構造１０の外面に付設される複数の外装板２１〜２６とを備えている。
【００１７】
フレーム構造１０は、下端部に左右向きに配置された前後１対のベース部材１１と、これらベース部材１１の左端に立設された前後１対の支柱１２と、タンク収納部５の左端面を区画する鉛直な仕切板１３と、機器収納部３の底部を区画する底部板１４と、補助熱源機収容部２の下端に左右方向向きに配置された前後１対の桟部材１５と、補助熱源機収容部２の中段前面の桟部材１６と、補助熱源機収容部２の中段後面の遮熱板１７等を備えている。前記仕切板１３は、左右方向の中間位置よりもやや右寄り位置に配設されて１対のベース部材１１や底部板１４や桟部材１５，１６や遮熱板１７に固定されている。
【００１８】
前記複数の外装板２１〜２６は、外装ケース１の上部約２／３部分の前面を覆う前側主外装板２１と、タンク収納部５の下部約１／３の前面を覆う前側副外装板２２と、補助熱源機収容部２と機器収納部３の左側面を覆う左側外装板２３と、外装ケース１の上部約２／３部分の後面を覆う後側主外装板２４と、タンク収納部５の下部約１／３の後面を覆う後側副外装板（図示略）と、外装ケース１の右側面を覆う右側外装板２５と、外装ケース１の頂面を覆う頂面外装板２６などを備えている。
【００１９】
前側主外装板２１、前側副外装板２２、左側外装板２３、後側主外装板２４、後側副外装板、頂面外装板２６は、複数のビスを用いてフレーム構造１０に固定される。
次に、外装ケース１の全高をほぼ３等分する中段上部位置と中段下部位置において、右側外装板２５を、隣接する前側主外装板２１および後側主外装板２４に、取付片３１を介して夫々固定する固定構造３０Ａ，３０Ｂについて説明する。
【００２０】
図２〜図４に示すように、右側外装板２５の前端寄り部位を、前記中段上部位置と中段下部位置において、前側主外装板２１の端部に取付片３１を介して夫々固定する２組の固定構造３０Ａと、右側外装板２５の後端寄り部位を、前記中段上部位置と中段下部位置において、後側主外装板２４の端部に取付片３１を介して夫々固定する２組の固定構造３０Ｂとが設けられている。尚、前側主外装板２１と後側主外装板２４が、夫々「一方の外装板」に相当し、右側外装板２５が「他方の外装板」に相当する。
【００２１】
前記固定構造３０Ａと固定構造３０Ｂは前後に対称であるので、ここでは、固定構造３０Ｂを例にして図３、図４に基づいて説明する。
図３に示すように、後側主外装板２４の右端寄り部分２４ａは平坦に形成され、その右端には断面コ字状のフランジ部２４ｂが形成されている。右側外装板２５の後端寄り部分２５ａは前記右端寄り部分２４ａ側へ湾曲状に折り曲げられており、その後端には、前記フランジ部２４ｂに右方から当接可能な断面Ｌ形のフランジ部２５ｂが形成されている。
【００２２】
図３、図４に示すように、取付片３１は複数部位で屈曲された細長い板片（例えば、厚さ1.2 ｍｍ）で構成されている。取付片３１は、後側主外装板２４に固定される平板状の第１固定部３２と、右側外装板２５に固定される平板状の第２固定部３３と、第１固定部３２の右端から斜め前方へ少し延びた第１斜板部３４と、この第１斜板部３４の右端（前端）から右方へ延びて一部がフランジ部２５ｂの内面に当接した平板部３５と、この平板部３５の右端から斜め前方へ延びた第２斜板部３６と、この第２斜板部３６の前端である第２固定部３３の後端（第２固定部３３の第１固定部３２側端部）に形成された第１折曲部３７とを有する。
【００２３】
後側主外装板２４の右端寄り部分２４ａには前方へ突出するボス部２４ｃが形成され、第１固定部３２は、ボス部２４ｃの内面に当接させてビス４１で固定されている。第２固定部３３は、右側外装板２５の内面に面接触状に当接させてビス４２で固定されている。
平板部３５と第２斜板部３６の境界の第２折曲部３８は、右側外装板２５との間に隙間を空けて配置され、第１固定部３２と第１斜板部３４の境界の第３折曲部３９は、後側主外装板２４との間に隙間を空けて配置されている。
【００２４】
図４に示すように、前記取付片３１には、第１折曲部３７の両端部とその近傍部を切欠いた切欠き部４０が形成されている。切欠き部４０の形状は、部分円形又は弓形形状である。
【００２５】
次に、前記外装ケース１の作用、効果について説明する。
前記固定構造３０Ｂにおいては、取付片３１に第１折曲部３７の両端部とその近傍部を切欠いた切欠き部４０が形成され、第１折曲部３７の上下両端部の尖った角部が除去されているため、搬送中に右側外装板２５が振動しても、取付片３１の第１折曲部３７の上下両端部の角部による打痕が右側外装板２５に発生することがないから、外装ケース１の損傷を確実に防止して外観の悪化、つまり商品性の低下を確実に防止することができる。
しかも、第１折曲部３７の両端部とその近傍部を切欠いた切欠き部４０を設けるという簡単な構成で実現できるため、簡単且つ安価に実施可能である。なお、前記切欠き部４０の形状は一例を示すもので、種々の形状の切欠き部を採用することができる。
【００２６】
次に、前記取付片３１を部分的に変更した変更例について説明する。
図５に示すように、この取付片３１Ａにおいては、第１折曲部３７の両端部とその近傍部を切欠いた三角形状の切欠き部４０Ａが形成されている。この取付片３１Ａによっても、前記取付片３１と同様の作用、効果が得られる。
【００２７】
図６に示すように、この取付片３１Ｂにおいては、第１折曲部３７の両端部とその近傍部を切欠いた長方形状の切欠き部４０Ｂが形成されている。この取付片３１Ｂによっても、前記取付片３１と同様の作用、効果が得られる。
【００２８】
次に、前記実施例を部分的に変更する例について説明する。
１）本発明は、貯湯給湯装置の外装ケースに限らず、種々の機器や装置の外装ケースに適用することができる。
２）本発明において採用可能な取付片は、図４〜図６に図示のものに限定される訳ではなく、例えば、図７に示すような取付片に切欠き部を形成したものでもよく、その他の種々の構造の取付片でもよい。
３）なお、当業者であれば、前記実施例に種々の変更を付加した形態で実施可能である。
【産業上の利用可能性】
【００２９】
本発明は、複数の外装板を組み合わせて形成され且つ互いに隣接する少なくとも１対の外装板同士を取付片を介して固定してなる種々の構造や用途の箱状の外装ケースに適用することができる。
【符号の説明】
【００３０】
１        外装ケース
２１〜２６    外装板
２１      前側主外装板（一方の外装板）
２４      後側主外装板（一方の外装板）
２５      右側外装板（他方の外装板）
３０Ａ，３０Ｂ    固定構造
３１      取付片
３２      第１固定部
３３      第２固定部
３７      第１折曲部
４０      切欠き部
【図１】
2015059682.tif 000003
【図２】
2015059682.tif 000004
【図３】
2015059682.tif 000005
【図４】
2015059682.tif 000006
【図５】
2015059682.tif 000007
【図６】
2015059682.tif 000008
【図７】
2015059682.tif 000009